(57)【要約】【課題】モータの回転軸がロボットアームの先端部から外れた位置に配置される場合に、振動が抑えられる切削方法を提供する。【解決手段】ロボットアームと、切削を行う刃部を有する切削工具と、切削工具を回転駆動させるモータと、ロボットアームの先端部と切削工具との間を接続する接続部とを備えた切削装置を用いて切削を行う。ロボットアームが、回転駆動部によって刃部が回転駆動される切削工具を移動させながら、ワークの切削が行われる。切削方法は、切削工具の移動方向に沿って、切削工具が、先端部よりも後方に位置した状態でワークの切削を行う切削工程を備えている。【選択図】図５
2019118990.tif 000002
【特許請求の範囲】
【請求項１】
ロボットアームと、切削を行う刃部を有する切削工具と、前記刃部を回転駆動させる回転駆動部と、前記ロボットアームの先端部と前記切削工具との間を接続する接続部とを備えた切削装置を用い、前記ロボットアームが、前記回転駆動部によって前記刃部が回転駆動される前記切削工具を移動させながら、ワークの切削が行われる切削方法であって、
前記切削工具の移動方向において、前記切削工具が、前記先端部よりも後方に位置した状態で前記ワークの切削を行う切削工程を備えたことを特徴とする切削方法。
【請求項２】
前記切削工程において、前記切削工具は、前記切削工具の移動方向から見て、前記刃部を部分的に用いることによって前記ワークの切削を行うことを特徴とする請求項１に記載の切削方法。
【請求項３】
前記切削工程において、前記切削工具は、前記切削工具の移動方向から見て、前記刃部を全体の８０パーセント以下だけ用いることによって前記ワークの切削を行うことを特徴とする請求項２に記載の切削方法。
【請求項４】
前記刃部における切削に用いられる部分が、前記切削工具の移動方向から見て、前記刃部の一端側に偏り、
前記切削工程において、前記切削工具は、前記刃部における前記一端側の端部の位置で、前記刃部の回転方向と、前記移動方向とが同じであることを特徴とする請求項２または３に記載の切削方法。
【請求項５】
前記切削工程において、前記切削工具は、前記切削工具の移動方向から見て、前記刃部における、前記一端側の端部の高さと、前記一端側とは逆側の他端側の端部の高さとが異なるように傾けられた状態で、前記ワークの切削が行われることを特徴とする請求項４に記載の切削方法。
【請求項６】
前記切削工程において、前記ロボットアームは、前記切削工具による往復移動と、往復移動する移動方向に交差する切削幅方向への移動とを行いながら、前記切削工具に前記ワークへの切削を行わせ、
前記切削工具は、前記往復移動のうち、一方向への移動のときにのみ、前記ワークの切削を行うことを特徴とする請求項１から５のいずれか１項に記載の切削方法。
【請求項７】
前記切削工程では、高強度鋼に形成された溶接ビードの切削が行われることを特徴とする請求項１から６のいずれか１項に記載の切削方法。
【請求項８】
前記高強度鋼は、鉄道車両の部品に用いられることを特徴とする請求項７に記載の切削方法。
【請求項９】
ロボットアームと、
切削を行う刃部を有する切削工具と、
前記刃部を回転駆動させる回転駆動部と、
前記ロボットアームの先端部と前記切削工具との間を、前記ロボットアームの前記先端部の延びる方向に交差する方向にオフセットさせて接続する接続部と、
前記切削工具の移動方向において、前記切削工具が前記接続部を介し前記先端部よりも後方に位置した状態で、前記回転駆動部が前記刃部を回転駆動させてワークの切削が行われるように、前記ロボットアームの動作を制御する制御部と
を備えていることを特徴とする切削装置。
【発明の詳細な説明】
【技術分野】
【０００１】
本発明は、ロボットを用いてワークの切削を行う切削方法及び切削装置に関する。
【背景技術】
【０００２】
従来、ロボットを用いて切削を行う切削装置について提案されている。特許文献１には、ロボットを用いた切削によって、溶接ビードの除去を行う切削装置について開示されている。
【先行技術文献】
【特許文献】
【０００３】
【特許文献１】特開２０１５−７１２０３号公報
【発明の概要】
【発明が解決しようとする課題】
【０００４】
特許文献１に開示された切削装置は、スピンドルモータがロボットアームの先端部に直接取り付けられている。また、スピンドルモータの直下の位置に、切削工具が取り付けられている。
【０００５】
しかしながら、切削の行われる条件によっては、切削工具にかかる負荷が大きくなり、切削工具を駆動させるためのモータのサイズが大きくなってしまう可能性がある。ワークの強度が高い場合には、ワークに対し切削を行うのに大きなトルクが必要とされるので、その分切削工具にかかる負荷が大きくなる可能性がある。また、ワークに対する切削を高速で行う場合についても、切削工具にかかる負荷が大きくなる可能性がある。
【０００６】
モータのサイズが大きくなると、ロボットアームの先端部の位置にモータの配置されるスペースを確保することができず、モータをロボットアームの先端部に直接取り付けることができなくなってしまう場合がある。その場合、ロボットアームの先端部とモータとが離れた位置に配置されることがある。このとき、モータがロボットアームの先端部から離れた位置に配置された状態で切削が行われるので、場合によってはそこで切削の際に振動が生じ、振動によって切削精度が影響を受けてしまう可能性がある。
【０００７】
そこで、本発明は上記の事情に鑑み、振動が抑えられる切削方法及び切削装置を提供することを目的としている。
【課題を解決するための手段】
【０００８】
本発明の切削方法は、ロボットアームと、切削を行う刃部を有する切削工具と、前記刃部を回転駆動させる回転駆動部と、前記ロボットアームの先端部と前記切削工具との間を接続する接続部とを備えた切削装置を用い、前記ロボットアームが、前記回転駆動部によって前記刃部が回転駆動される前記切削工具を移動させながら、ワークの切削が行われる切削方法であって、前記切削工具の移動方向に沿って、前記切削工具が、前記先端部よりも後方に位置した状態で前記ワークの切削を行う切削工程を備えたことを特徴とする。
【０００９】
上記構成の切削方法では、切削工具の移動方向において、切削工具が、ロボットアームの先端部よりも後方に位置した状態でワークの切削が行われるので、接続部が引っ張られた状態で切削が行われ、安定した状態で切削を行うことができる。従って、切削の際に振動が生じることを抑えることができる。
【００１０】
本発明の切削装置は、ロボットアームと、切削を行う刃部を有する切削工具と、前記刃部を回転駆動させる回転駆動部と、前記ロボットアームの先端部と前記切削工具との間を接続する接続部と、前記切削工具の移動方向において、前記切削工具が前記接続部を介し前記先端部よりも後方に位置した状態で、前記回転駆動部が前記刃部を回転駆動させてワークの切削が行われるように、前記ロボットアームの動作を制御する制御部とを備えていることを特徴とする。
【００１１】
上記構成の切削装置では、切削工具の移動方向に沿って、切削工具が、接続部を介し、ロボットアームの先端部よりも後方に位置した状態で回転駆動部が刃部を回転駆動させてワークの切削が行われるように、ロボットアームの動作が制御されるので、接続部が引っ張られた状態で切削が行われ、安定した状態で切削を行うことができる。従って、切削の際に振動が生じることを抑えることができる。
【発明の効果】
【００１２】
本発明によれば、切削の行われる際の振動が生じることが抑えられるので、振動による影響を受けずに切削を行うことができ、精度良く切削を行うことができる。
【図面の簡単な説明】
【００１３】
【図１】本発明の実施形態に係る切削装置についての側面図である。
【図２】（ａ）は図１の切削装置で用いられる切削工具の刃部についての平面図であり、（ｂ）は（ａ）の刃部についての正面図である。
【図３】図１の切削装置における切削ロボットの制御系統の構成について示したブロック図である。
【図４】図１の切削装置を用いて切削を行うワークについての斜視図である。
【図５】図１の切削装置によって切削が行われる際の、ロボットアームと切削工具との間の位置関係について示した構成図である。
【図６】比較例の切削装置によって切削が行われる際の、ロボットアームと切削工具との間の位置関係について示した構成図である。
【図７】（ａ）は、切削工具がロボットアームよりも後方に位置した状態で切削が行われる場合のロボットアームの先端部回りのモーメントの方向について示した構成図であり、（ｂ）は、切削工具がロボットアームよりも前方に位置した状態で切削が行われる場合のロボットアームの先端部回りのモーメントの方向について示した構成図である。
【図８】図１の切削装置によって切削が行われる際の、切削工具の刃部と、切削の行われるワークとの間の位置関係について示した構成図である。
【図９】図８の切削工具の刃部と、切削の行われるワークの断面について示した構成図である。
【発明を実施するための形態】
【００１４】
以下、本発明の実施形態に係る切削方法及び切削装置について、添付図面を参照して説明する。
【００１５】
図１に、実施形態に係る切削装置１００についての側面図を示す。
【００１６】
切削装置１００は、切削ロボット１０と、ワークの設置される作業台２０とを有している。作業台２０にワークを設置し、切削ロボット１０を用いてワークの切削を行うことが可能に構成されている。
【００１７】
切削ロボット１０は、ロボットアーム１１を備えた多関節ロボットである。ロボットアーム１１は、ベース１２と、複数のリンク１３〜１８とを備えている。本実施形態では、ロボットアーム１１は、接地されたベース１２から順に、ベース１２、第１リンク１３、第２リンク１４、第３リンク１５、第４リンク１６、第５リンク１７及び第６リンク１８を有している。
【００１８】
また、ロボットアーム１１は、ベース１２及び複数のリンク１３〜１８のそれぞれの間に、関節を備えている。
【００１９】
ベース１２は、床に接地されている。ベース１２は、第１関節ＪＴ１を介して第１リンク１３と接続されている。第１関節ＪＴ１の回転軸線Ｌ１は鉛直方向に延びている。また、第１リンク１３は、第２関節ＪＴ２を介して第２リンク１４と接続されている。第２関節ＪＴ２の回転軸線Ｌ２は、水平方向に延びている。また、第２リンク１４は、第３関節ＪＴ３を介して第３リンク１５と接続されている。第３関節ＪＴ３の回転軸線Ｌ３は、水平方向に延びている。また、第３リンク１５は、第４関節ＪＴ４を介して第４リンク１６と接続されている。第４関節ＪＴ４の回転軸線Ｌ４は、第４リンク１６の長手方向に沿って延びている。また、第４リンク１６は、第５関節ＪＴ５を介して第５リンク１７と接続されている。第５関節ＪＴ５の回転軸線Ｌ５は、水平方向に延びている。また、第５リンク１７は、第６関節ＪＴ６を介して第６リンク１８と接続されている。第６関節ＪＴ６の回転軸線Ｌ６は、第６リンク１８の長手方向に延びている。
【００２０】
第１関節ＪＴ１〜第６関節ＪＴ６には、それぞれ、各関節が連結する２つの部材を相対的に回転させる関節駆動部を備えている。各関節駆動部は、サーボドライバ、サーボモータ、回転角検出器および減速機などを含んでいる。サーボモータの回転は、後述する制御部５０によってサーボ制御される。
【００２１】
ロボットアーム１１では、入力装置から出力されるロボットアーム１１の入力情報、又は後述する記憶装置の動作シーケンス情報に規定されている動作情報に従って、制御部５０が、駆動モータにより回転させられる第１関節ＪＴ１〜第６関節ＪＴ６のそれぞれの角度を制御することにより、ロボットアーム１１の先端部の位置を決定する。
【００２２】
第６リンク１８の先端部には、接続部１９が設けられている。接続部１９は、ロボットアーム１１における第６関節ＪＴ６の回転軸線Ｌ６の延びる方向に直交する方向に延びるように、第６リンク１８の先端部に接続されている。回転軸線Ｌ６の延びる方向に直交する方向において、接続部１９における第６リンク１８に取り付けられた側とは逆側の位置には、切削工具３０と、切削工具３０を回転駆動させるスピンドルモータとしてのモータ（回転駆動部）３１が取り付けられている。本実施形態では、接続部１９の主面の延びる方向が、ロボットアーム１１における第６関節ＪＴ６の回転軸線Ｌ６の延びる方向に直交するように、接続部１９がロボットアーム１１の第６リンク１８に取り付けられている。従って、切削ロボット１０においては、第６リンク１８と、切削工具３０との間を、ロボットアーム１１における第６関節ＪＴ６の回転軸線Ｌ６に直交する方向に延びた接続部１９が接続するように構成されている。
【００２３】
切削工具３０は、切削工具３０の回転軸の軸方向が、接続部１９から回転軸線Ｌ６に水平な方向に向けて延びるように、接続部１９に取り付けられている。モータ３１は、モータ３１の回転軸の軸方向が切削工具３０における回転軸の軸方向と同方向となるように、接続部１９に取り付けられている。モータ３１の回転軸の軸方向及び切削工具３０の回転軸の軸方向は、ロボットアーム１１における第６関節ＪＴ６の回転軸線Ｌ６に平行な方向に延びている。
【００２４】
接続部１９は、ロボットアーム１１の第６リンク１８に接続されると共に、接続部１９に取り付けられた切削工具３０及びモータ３１を支持している。このように、接続部１９は、切削工具３０及びモータ３１を支持するブラケットとして機能している。第６リンク１８と、切削工具３０との間が、ロボットアーム１１における第６関節ＪＴ６の回転軸線Ｌ６に直交する方向に延びた接続部１９によって接続されているので、第６リンク１８と、切削工具３０とが、回転軸線Ｌ６に直交する方向において、オフセットされた位置に配置されている。
【００２５】
なお、本実施形態では、接続部１９の主面の延びる方向が、ロボットアーム１１における第６関節ＪＴ６の回転軸線Ｌ６の延びる方向に直交するように、接続部１９が第６リンク１８に取り付けられる構成について説明しているが、本発明はこれに限定されない。接続部１９の主面の延びる方向が、ロボットアーム１１における第６関節ＪＴ６の回転軸線Ｌ６の延びる方向に対し、直交せずに傾けられて取り付けられてもよい。
【００２６】
ロボットアーム１１の先端部と、切削工具３０あるいはモータ３１とが干渉しないように、接続部１９を介して、ロボットアーム１１の先端部と、切削工具３０あるいはモータ３１との間の距離ｄ１が十分に確保されていれば、接続部１９は第６リンク１８の延びる方向に直交する方向に対し傾けて取り付けられていてもよい。
【００２７】
第６リンク１８と切削工具３０あるいはモータ３１とが、接続部１９の延びる方向において十分に離間するので、ロボットアーム１１によって移動される切削工具３０の移動方向において、第６リンク１８と切削工具３０あるいはモータ３１とを十分に離間させることができる。このように、接続部１９は、第６リンク１８と切削工具３０あるいはモータ３１との間を、ロボットアーム１１の先端部の延びる方向（回転軸線Ｌ６の延びる方向）に対し交差する方向にオフセットさせて接続すればよい。
【００２８】
切削工具３０は、切削を行う際には、先端部に刃部３２が取り付けられる。図２（ａ）に、刃部３２についての平面図を示し、図２（ｂ）に、刃部３２についての正面図を示す。刃部３２は、例えば４つの切刃３２ａを有している。また、切削工具３０は、回転軸Ｃ１を有している。モータ３１が駆動され、切削工具３０が回転駆動されると、切削工具３０の先端部に取り付けられた刃部３２が、回転軸Ｃ１を中心に回転するように構成されている。
【００２９】
本実施形態では、第６リンク１８と切削工具３０との間を接続部１９が接続しているので、ロボットアーム１１の先端部の位置と、切削工具３０における回転軸Ｃ１の位置とがずれている。
【００３０】
本実施形態の切削装置１００は、切削の行われるワークとして、後述するように、高強度鋼に形成された溶接ビードが想定されている。また、本実施形態では特に、高強度鋼は、鉄道の車両を製造するのに用いられる高強度鋼であることが想定されている。そのため、切削装置１００によって切削の行われるワークの強度が高く、切削が行われる際に切削工具３０にかかる負荷が比較的大きい。そのため、切削工具３０を回転駆動させる際にモータ３１に比較的大きなトルクが必要とされる。これに対応するために、切削装置１００では、比較的大きなサイズのモータ３１が適用されている。
【００３１】
しかしながら、モータ３１のサイズが比較的大きく、モータ３１の重量も大きいことから、ロボットアーム１１の先端部の位置にモータ３１を直接的に取り付けることはできない。サイズの大きいモータをロボットアーム１１の先端部に直接的に取り付けると、ロボットアーム１１の先端から切削工具３０までの距離が大きくなり、ロボットアーム１１の移動が制限されてしまう可能性がある。このように、ロボットアーム１１の先端部の位置には、配置スペース上の制限があることから、サイズの大きなモータ３１をロボットアーム１１の先端部の位置に直接的に取り付けることができない。
【００３２】
そのため、本実施形態では、ロボットアーム１１の先端部に接続部１９が取り付けられ、接続部１９に切削工具３０及び切削工具３０の回転駆動を行うモータ３１が取り付けられている。本実施形態では、ロボットアーム１１の先端部に取り付けられた接続部１９に対し切削工具３０及びモータ３１が取り付けられるので、ロボットアーム１１の先端部の延びる方向に直交する方向において、ロボットアーム１１の先端部とモータ３１との間の距離が十分に確保されながら、ロボットアーム１１に切削工具３０及びモータ３１を取り付けることができる。従って、比較的サイズの大きいモータが用いられても、ロボットアーム１１とモータとが干渉することを抑えることができる。これにより、サイズの大きいモータが用いられたときにロボットアーム１１とモータ３１とが互いに干渉せずに、ロボットアーム１１の第５リンク１７、第６リンク１８の可動範囲を比較的大きく確保できる。本実施形態では、切削装置１００を平面視したときに、切削工具３０の全体がロボットアーム１１から外れるように、切削工具３０がロボットアーム１１から外れた位置に取り付けられている。
【００３３】
本実施形態では、切削ロボット１０として、可搬重量が２００ｋｇのロボットが用いられている。このとき、ロボットアーム１１の先端部の中心の位置と、切削工具３０の中心の位置との間の距離ｄ１が３５１ｍｍとなるように、切削工具３０がロボットアーム１１から外れた位置に取り付けられている。
【００３４】
ロボットアーム１１の先端部が接続部１９を把持し、接続部１９に切削工具３０及びモータ３１が取り付けられているので、ロボットアーム１１には、切削工具３０及びモータ３１が直接取り付けられているわけではない。そのため、切削ロボット１０としては、汎用のロボットを用いることができる。汎用のロボットにエンドエフェクタとして接続部１９を把持させ、接続部１９に切削工具３０及びモータ３１が取り付けられる。切削装置１００に汎用のロボットが用いられるので、切削装置１００の製造コストを少なく抑えることができる。
【００３５】
また、ロボットアーム１１の先端部とモータ３１との間の距離ｄ１が接続部１９によって確保されるので、切削を行うために切削工具３０を移動させる際に、ロボットアーム１１とモータ３１とが互いに干渉することを抑えることができる。ロボットアーム１１とモータ３１とが互いに干渉せずに、ロボットアーム１１を移動させることができるので、ロボットアーム１１の移動可能な範囲が広くなる。従って、切削工具３０によってより自由度の高い切削を行うことができる。
【００３６】
また、切削工具３０及びモータ３１の移動する切削経路近傍に障害物がある場合には、接続部１９を移動させて切削工具３０及びモータ３１を移動させることにより、切削工具３０及びモータ３１が障害物と接触することを回避することができる。従って、ロボットアーム１１による簡易な動作によって、切削工具３０及びモータ３１が障害物と接触することを回避することができる。
【００３７】
接続部１９は、切削工具３０及びモータ３１を支持している。本実施形態では、接続部１９の内部には、電気的な配線や、エアーの配管が配置されている。接続部１９が電気的な配線やエアーの配管を内部に収納しているので、接続部１９がこれらの配置スペースとしての機能を兼ね備えることができ、切削ロボット１０を小型化することができる。
【００３８】
次に、切削ロボット１０の制御構成について説明する。図３に、切削ロボット１０における制御構成についてのブロック図を示す。
【００３９】
制御部５０は、図３に示されるように、ＣＰＵ等の演算部５０ａと、ＲＯＭ、ＲＡＭ等の記憶部５０ｂと、サーボ制御部５０ｃと、を備える。制御部５０は、例えばマイクロコントローラ等のコンピュータを備えたロボットコントローラである。なお、制御部５０は、集中制御する単独の制御部５０によって構成されていてもよいし、互いに協働して分散制御する複数の制御部５０によって構成されていてもよい。
【００４０】
記憶部５０ｂには、ロボットコントローラとしての基本プログラム、各種固定データ等の情報が記憶されている。演算部５０ａは、記憶部５０ｂに記憶された基本プログラム等のソフトウェアを読み出して実行することにより、切削ロボット１０の各種動作を制御する。たとえば、制御部５０は、記憶部５０ｂに予め記憶されたプログラム、または、作業者により入力された操作に基づいてロボットアーム１１の動作を制御する。また、制御部５０は、モータ３１の回転駆動を制御するように構成されていてもよい。
【００４１】
すなわち、演算部５０ａは、切削ロボット１０の制御指令を生成し、これをサーボ制御部５０ｃに出力する。サーボ制御部５０ｃは、演算部５０ａにより生成された制御指令に基づいて、ロボットアーム１１の各関節ＪＴ１〜ＪＴ６に対応するサーボモータの駆動を制御するように構成されている。例えば、演算部５０ａは、プロセッサユニットによって構成されている。
【００４２】
以上のように構成された切削装置１００を用いて切削が行われる。本実施形態では、切削装置１００を用いて、高強度鋼に形成された溶接ビードの切削が行われる。
【００４３】
図４に、切削の行われるワーク４０の斜視図を示す。本実施形態では、ワーク４０は、鉄道車両用台車枠における横梁パイプ４１と、横梁パイプ４１同士の間を繋ぐ繋梁４２との間の接続部４３である。
【００４４】
横梁パイプ４１と繋梁４２とが溶接によって接続されると、これらの間の接続部４３に溶接ビード４４が残る。溶接ビード４４をそのままにしておいた場合、溶接ビード４４の形状によっては、そこで応力集中が生じる可能性がある。そのため、本実施形態では、接続部４３に形成された溶接ビード４４を切削装置１００によって切削している。
【００４５】
切削装置１００により溶接ビード４４が所定の形状となるように切削されるので、溶接ビード４４の形状をなめらかに形成することができる。溶接ビード４４の形状がなめらかに形成されるので、少しのグラインダ仕上げを加えることで、溶接ビード４４で応力集中が生じることが抑えられる。従って、溶接による接続が行われた場合に、鉄道車両用台車枠として長期間に亘って使用される過程において、応力の集中によって鉄道車両用台車枠の故障を招いてしまうことを抑えることができる。これにより、鉄道車両用台車枠の品質を向上させることができる。
【００４６】
また、切削を切削装置１００によって行うので、溶接ビード４４の切削を切削ロボット１０によって精度良く行うことができる。また、溶接ビード４４の切削を切削ロボット１０によって高速に行うことができる。
【００４７】
なお、本実施形態では、切削装置１００が高強度鋼に対し溶接ビードの切削を行っているが、ここでは、鋼材のうち、引っ張り強さが４９０（ＭＰａ）以上であるものを高強度鋼というものとする。
【００４８】
次に、切削装置１００によって行われる切削方法について説明する。
【００４９】
図５に示されるように、切削装置１００を平面視すると、接続部１９によって、ロボットアーム１１の先端部１１ａの位置と、切削工具３０の位置とがオフセットされて、ロボットアーム１１と切削工具３０とが接続されている。このように本実施形態では、接続部１９を介して、ロボットアーム１１と切削工具３０とが接続されている。
【００５０】
溶接ビード４４の切削が行われる際には、図５に示されるように、切削装置１００によって切削を行う際の切削工具３０の移動方向Ｄ１において、切削工具３０が、ロボットアーム１１の先端部１１ａよりも後方に位置した状態で切削が行われる（Ｓ２）（切削工程）。このように切削が行われるので、切削装置１００におけるロボットアーム１１と切削工具３０との間の接続部１９が、切削工具３０の移動方向Ｄ１において、引っ張られた状態で切削を行うことができる。
【００５１】
ロボットアーム１１を図５の移動方向Ｄ１に向かって移動させながら切削が行われるときには、接続部１９におけるロボットアーム１１の先端部１１ａが接続部１９に接続された移動方向Ｄ１の前方部分では、ロボットアーム１１によって引っ張られることにより、Ｄ１方向に向かって力が作用する。また、接続部１９における移動方向Ｄ１の後方部分では、切削工具３０に対し、切削による負荷が作用する。そのため、切削工具３０には、図５に示される矢印Ｄ１の方向とは逆方向に力が作用する。このように、接続部１９における移動方向Ｄ１の前方ではロボットアームによってＤ１方向に引っ張られ、接続部１９における移動方向Ｄ１の後方では切削による負荷によってＤ１の方向とは逆方向に引っ張られる。
【００５２】
切削工具３０の移動方向Ｄ１において、接続部１９の前側の位置では前方に向かう方向に力が作用し、後ろ側の位置では後方に向かう方向に力が作用する。そのため、接続部１９には、それぞれ接続部１９が引っ張られる方向に相反する方向の力を受ける。接続部１９が、引っ張られた状態で切削が行われるので、切削工具３０が安定した状態で切削を行うことができる。従って、切削工具３０によって切削が行われる際に、切削工具３０で振動が生じることを抑えることができる。
【００５３】
本実施形態では、Ｄ１方向に沿った切削を行う範囲についての一方の端部から他方の端部まで１回の移動による切削が行われると、ロボットアーム１１の先端部１１ａが一方の端部に戻ると共に、切削幅方向への移動を行った後に、次のパスについて再びＤ１方向に沿った切削を行う。従って、ロボットアーム１１は、複数回のＤ１方向への移動と、切削幅方向への移動を伴って刃部３２によって切削を行う。ロボットアーム１１がＤ１方向とは逆方向に移動する際には、切削は行われない。つまり、ロボットアーム１１は、切削工具３０による往復移動と、往復移動する移動方向に交差する切削幅方向への移動とを行いながら、切削工具３０にワーク４０への切削を行わせると共に、切削工具３０は、往復移動のうち、一方向への移動のときにのみ、ワーク４０の切削を行う。切削工具３０が、往復移動のうち、一方向への移動のときにのみワーク４０の切削を行っているので、ワーク４０の長さ方向においては、切削工具３０が同一の方向に移動するときにだけ切削を行うことになる。
【００５４】
ロボットは、マシニングセンタ等の工作機械に比べ、被切削物に対しての水平、垂直方向への位置決め精度が比較的低い。そのため、往復移動のうちの両方の方向への移動で切削を行う場合には、行きと帰りの経路の間で切削工具３０の軌道にずれが生じ、切削の精度が低下する可能性がある。従って、切削工具３０は、往復移動のうちの一方向への移動のときにのみ、ワーク４０への切削を行うことが望ましい。切削工具３０が往復移動のうちの一方向への移動のときにのみワーク４０への切削が行われるので、切削工具３０による移動の際に、切削工具３０の軌道にずれが生じ難く、ワーク４０への切削をより高精度に行うことができる。
【００５５】
また、切削工具３０は、往復移動する移動方向に交差する切削幅方向への移動のときにも切削を行うように、切削を行ってもよい。つまり、切削工具３０は、往復移動のうちの一方向への移動のときと、切削幅方向への移動のときにのみ、ワーク４０の切削を行っていることとしてもよい。
【００５６】
また、上記実施形態では、切削工具３０の往復移動のうち、一方向への移動のときにのみワーク４０への切削を行うこととしたが、本発明は上記実施形態に限定されない。Ｄ１方向に沿った切削を行う範囲についての一方の端部から他方の端部まで１回の移動による切削を終えると、切削工具３０がＤ１方向とは逆方向に移動しながら、次の移動による切削が行われてもよい。このとき、切削工具３０による移動方向がＤ１方向とは逆方向になるので、ロボットアーム１１が姿勢を変えることにより、再び切削工具３０がロボットアーム１１の先端部１１ａよりも移動方向の後方に位置させてもよい。切削が行われる際に、切削工具３０がロボットアーム１１の先端部１１ａよりも移動方向の後方に位置するのであれば、切削工具３０による移動はどのように行われてもよい。
【００５７】
ワーク４０の全ての領域についての切削を終えると、切削工程が完了する。
【００５８】
後述するように、本実施形態では、切削工具３０の刃部３２が、切削幅方向に沿って、一方の端部と他方の端部との間で高さが異なるように傾けられた状態で切削が行われている。１回の切削による切削面が傾けて形成されるので、切削工具３０が往復することによって切削が行われた後には、切削面がジグザグ状に形成される。このジグザグ状に形成された切削面を均すために、グラインダによって切削面の表面を削り、切削面が滑らかになるように仕上げが行われてもよい。
【００５９】
図６に、比較例における溶接ビード４４の切削が行われる際の切削装置における要部についての構成図を示す。
【００６０】
比較例では、切削装置１００によって切削を行う際の切削工具３０の移動方向Ｄ２に対し、切削工具３０が、ロボットアーム１１の先端部１１ａよりも前方に位置した状態で切削が行われている。この状態で切削が進められていくと、ロボットアーム１１の移動によって切削工具３０が移動方向Ｄ２に沿って進みながら、切削工具３０による切削が行われる。
【００６１】
このとき、切削工具３０は、ワーク４０に対し切削を行っているので、接続部１９の移動方向Ｄ２の前方で、切削工具３０に対し移動方向Ｄ２とは逆方向への負荷が作用する。そのため、切削工具３０には、図６に示される矢印Ｄ３の方向に力が作用するので、接続部１９の移動方向Ｄ２の前方では、移動方向Ｄ２とは逆方向への力が作用する。また、切削が行われる際には、接続部１９の移動方向Ｄ２の後方では、ロボットアーム１１の先端部１１ａによって押され、切削工具３０に対し移動方向Ｄ２の方向に力が作用する。ロボットアーム１１によって接続部１９が矢印Ｄ２の方向に押されると共に、切削の際の負荷によって接続部１９が矢印Ｄ３の方向に押されるので、切削が行われている際に、接続部１９の前方の位置と後方の位置において、相反する方向に力が作用する。従って、接続部１９に対し、接続部１９が圧縮される方向に力が作用する。
【００６２】
接続部１９が、圧縮され、相反する方向の力を受けながら切削が行われるので、接続部１９が不安定になり、切削の際に切削工具３０が上下に振れ、そこで振動が生じ易くなる。特に、本実施形態では、切削装置１００は、高強度鋼で生成された溶接ビード４４の切削を行っている。そのため、切削の際に切削工具３０にかかる負荷が大きく、切削工具３０は、振動がより生じ易い状況にある。
【００６３】
また、切削工具３０が、ロボットアーム１１の先端部１１ａよりも前方に位置した状態で切削が行われる場合には、重量物が前方に位置した状態で、重量物を前方へ押し出していきながら切削工具３０が切削を行う。切削工具３０の刃部３２は、ワーク４０をすくいながら削り取っていく。このとき、接続部１９を介して、切削工具３０に、切削ロボット１０におけるロボットアーム１１の先端部１１ａ回りのモーメントが生じる。
【００６４】
図７（ａ）、（ｂ）に、切削が行われる際に、ロボットアーム１１の先端部１１ａ回りに生じるモーメントの方向について示した構成図を示す。
【００６５】
図７（ａ）では、本実施形態に示されるように、切削工具３０の移動方向において、切削工具３０が、ロボットアーム１１の先端部１１ａよりも後方に位置した状態で切削が行われている。図７（ａ）に示されるように、モータ３１による重力Ｗ１が、接続部１９に作用する。接続部１９に、下方に向かうモータ３１の重力Ｗ１が作用するので、重力Ｗ１によって、ロボットアーム１１の先端部１１ａ回りにモーメントＭ１が作用する。また、ロボットアーム１１が切削工具３０を引っ張りながら切削が行われているので、切削工具３０の刃部３２には、ロボットアーム１１の移動方向の後方に向かって負荷Ｆ１が作用する。切削工具３０の刃部３２に、移動方向の後方に向かう負荷Ｆ１が作用するので、負荷Ｆ１によって、ロボットアーム１１の先端部１１ａ回りにモーメントＭ２が作用する。
【００６６】
図７（ｂ）では、比較例のように、切削工具３０の移動方向において、切削工具３０が、ロボットアーム１１の先端部１１ａよりも前方に位置した状態で切削が行われている。図７（ｂ）の状態においても、図７（ａ）に示された状態と同様に、モータ３１による重力Ｗ１が、接続部１９に作用する。接続部１９に、下方に向かうモータ３１の重力Ｗ１が作用するので、重力Ｗ１によって、ロボットアーム１１の先端部１１ａ回りにモーメントＭ１が作用する。また、ロボットアーム１１が切削工具３０を押しながら切削が行われているので、切削工具３０の刃部３２には、ロボットアーム１１の移動方向の後方に向かって負荷Ｆ２が作用する。切削工具３０の刃部３２に、移動方向の後方に向かう負荷Ｆ２が作用するので、負荷Ｆ２によって、ロボットアーム１１の先端部１１ａ回りにモーメントＭ３が作用する。
【００６７】
図７（ａ）に示されるように、ロボットアーム１１が移動方向の後方の切削工具３０を引っ張りながら切削を行う形態では、ロボットアーム１１の先端部１１ａ回りのモーメントＭ１とモーメントＭ２との間で方向が異なる。従って、モーメントＭ１とモーメントＭ２とが相殺され、ロボットアーム１１の先端部１１ａ回りのモーメントの大きさが比較的小さい。従って、切削工具３０における刃部３２がワークに向かう方向に回転しようとするモーメントが小さく、安定した状態で刃部３２が切削を行うことができる。
【００６８】
図７（ｂ）に示されるように、ロボットアーム１１が移動方向の前方の切削工具３０を押しながら切削を行う形態では、ロボットアーム１１の先端部１１ａ回りのモーメントＭ１とモーメントＭ３との間で方向が一致する。従って、モーメントＭ１とモーメントＭ３とが合わさり、ロボットアーム１１の先端部１１ａ回りのモーメントの大きさが比較的大きい。図７（ｂ）の、ロボットアーム１１が移動方向前方の切削工具３０を押しながら切削を行う形態では、刃部３２がワークに向かう方向に回転しようとするモーメントの大きさが比較的大きいので、刃部３２によるワークへの切り込み量が大きくなると考えられる。これにより、切削の際に生じる負荷の大きさの変動が増大し、接続部１９で振動が生じ易くなると考えられる。従って、切削工具３０は、振動がさらに生じ易い状況にある。
【００６９】
これに対し、本実施形態では、図５に示されるように、切削が行われる際に、切削工具３０の移動方向Ｄ１に対し、切削工具３０が、ロボットアーム１１の先端部１１ａよりも後方に位置した状態で切削が行われる。従って、切削が行われる際には、接続部１９の前方で接続部１９がロボットアーム１１によって前方に引っ張られると共に、接続部１９の後方で切削の際の負荷によって接続部１９が後方に引っ張られる。そのため、接続部１９が前方と後方へ互いに引っ張られる方向の力を受けながら、切削工具３０によって切削が行われる。接続部１９が、引っ張られる方向に力を受けながら切削が行われるので、接続部１９が安定した状態で切削が行われる。また、ロボットアーム１１の先端部１１ａ回りにおける、刃部３２がワークに向かう方向に回転しようとするモーメントを小さくすることができる。従って、切削の際に、接続部１９で振動が生じることを抑えることができる。
【００７０】
切削の際に振動が抑えられるので、切削の精度が高く保たれる。そのため、切削が行われたワーク４０の品質を向上させることができる。
【００７１】
図８に、切削幅方向に沿って刃部３２が部分的に用いられることによって切削が行われている状態の、ワーク４０と刃部３２との間の位置関係についての構成図を示す。図８に示されるワーク４０では、切削工具３０が、移動方向Ｄ１に沿った移動と、移動方向Ｄ１に直交する切削幅方向への移動とを複数回繰り返すことによって、溶接ビード４４の全体に亘って切削が行われている。
【００７２】
本実施形態では、切削工具は、切削工具３０の移動方向に直交する切削幅方向において、刃部３２を部分的に用いることによって、ワーク４０の切削が行われている。
【００７３】
図８に示されるように、切削の行われる際には、切削工具３０の移動方向に直交する切削幅方向において、切削対象の溶接ビード４４から切削工具３０が部分的に外れた状態で切削工具３０が配置されている。切削工具３０が、切削幅方向に沿って、切削対象の溶接ビード４４から部分的に外れた位置に配置された状態で、切削工具３０によるワーク４０への切り込みが行われ、ワーク４０の切削が行われる。
【００７４】
特に、本実施形態では、切削幅方向に沿って、刃部３２を全体の８０パーセント以下だけ用いることによってワーク４０の切削が行われている。このように、切削が行われる際に、刃部３２の全体が使われずに刃部３２における切削に関与する領域を制限することにより、切削の際に生じる負荷を低減させることができる。
【００７５】
本実施形態の切削装置１００では、切削工具３０における刃部３２は、切削幅方向に沿って、全体の２０パーセントを用いて切削を行うことが最適である。切削幅方向に沿って、刃部３２における２０パーセントよりも小さい領域を用いて切削を行う場合には、刃部３２がワーク４０の切削された面を摺動する時間が長くなり、刃部３２の摩耗につながる。その結果、刃部３２を交換する頻度が高くなり、一部品の切削に必要な工具数量が増え、交換等のため切削時間が増えてしまうので好ましくない。また、切削の際に使用される刃部３２の領域が大きくなると、負荷が大きくなることから振動が生じ易くなるので好ましくない。これらの要因から、本実施形態の切削装置１００では、切削工具３０における刃部３２は、切削幅方向に沿って、全体の２０パーセント程度を用いて切削を行うことが好ましい。また、本実施形態の切削装置１００では、切削工具３０における刃部３２の１０パーセント以上８０パーセント以下の領域を用いてワーク４０の切削を行うことが可能に構成されている。
【００７６】
また、本実施形態では、切削幅方向において、刃部３２における切削に関与する一端側Ｓ１の端部の位置で、刃部３２の回転方向Ｄ４と、移動方向Ｄ１とが同じ方向となるように切削が行われる。
【００７７】
図８には、切削工具３０における刃部３２の回転方向Ｄ４と、切削工具３０における切削の際の移動方向Ｄ１とが示されている。
【００７８】
本実施形態では、図８に示されるように、切削が行われる際に、刃部３２における切削に用いられる部分が、切削工具３０の移動方向から見て、刃部３２の一端側に偏るように、切削工具３０が配置される。すなわち、切削幅方向において、刃部３２における切削に関与する部分が、刃部３２の一端側に偏っている。
【００７９】
本実施形態では、切削幅方向において、刃部３２における切削に関与する側のことを、刃部３２における一端側Ｓ１というものとする。また、一端側Ｓ１とは逆側であり、刃部３２における切削に関与しない側のことを他端側Ｓ２というものとする。
【００８０】
切削工具３０は、切削幅方向に沿って、切削に関与する側の一端側Ｓ１の端部の位置で、刃部３２の回転方向Ｄ４と、移動方向Ｄ１とが同じとなるように刃部３２が回転した状態で切削を行う。刃部３２における切削に関与する側の一端側Ｓ１の端部の位置で、刃部３２の回転方向Ｄ４と、移動方向Ｄ１とが同じ方向となるように刃部３２が回転した状態で切削が行われるので、安定した状態で切削を行うことができる。
【００８１】
仮に、切削工具３０が逆方向に回転しながらＤ１方向に移動する場合、刃部３２における切削に関与する側の一端側Ｓ１の端部の位置で、切削工具３０における刃部３２の回転方向と、移動方向Ｄ１とが、逆方向となるように切削工具３０が回転した状態で切削が行われる場合について説明する。その場合、切削の際の負荷によって切削工具３０が前方に押し出されるように切削工具３０に力が作用する。切削工具３０は、ロボットアーム１１によって移動されることによってＤ１方向に進もうとする。また、同時に、切削工具３０は、切削の際の負荷によって、さらにＤ１方向に進もうとする。ロボットアーム１１によって進もうとする方向と、切削の際の負荷によって進もうとする方向とが一致するので、切削工具３０は、あたかも加速するように力を受け、より大きな力によってＤ１方向に進もうとするため、切削工具３０が不安定な状態で、切削工具３０がワーク４０に切削を行うことになり、そこで振動が生じる可能性がある。
【００８２】
図９に、刃部３２及びワーク４０についての断面図を示す。本実施形態では、切削工具３０の移動方向から見て、刃部３２における、一端側Ｓ１の端部の高さと、他端側Ｓ２の端部の高さとが異なるように切削工具３０が繋梁４２に対して傾けられた状態で、ワーク４０の切削が行われる。具体的には、刃部３２における切削に関与しない側の他端側Ｓ２の端部の高さが、刃部３２における切削に関与する側の一端側Ｓ１の端部の高さよりも高くなるように、切削工具３０の刃部３２が傾けられた状態で切削が行われている。
【００８３】
図９では、切削工具３０の刃部３２が、傾き角αで傾けられた状態で切削が行われている。本実施形態では、傾き角αは、２〜５度で傾けられることが好ましい。また、傾き角αとしては、０．５〜１０度の範囲で切削が行われてもよい。
【００８４】
切削幅方向において、刃部３２における一端側Ｓ１の端部と他端側Ｓ２の端部との間で、高さが異なるように傾けられた状態でワーク４０の切削が行われるので、切削を行う過程で、切削幅方向において刃部３２が部分的に用いられた状態が保たれたまま、切削を行うことができる。切削工具３０が傾いているので、Ｄ１方向に沿った切削を行う範囲についての一方の端部から他方の端部まで切削を行った後に、次のＤ１方向に沿ったパスで切削を行う際に、刃部３２の一部がワーク４０から浮いた状態で切削工具３０が切削を行うことができる。本実施形態では、２パス目以降で、刃部３２における切削に関与しない側の他端側Ｓ２の端部がワーク４０から浮いた状態で、切削工具３０がワーク４０に対し切削を行うことができる。
【００８５】
このとき、仮に切削工具３０における刃部３２が傾いていなければ、切削した面と同一の平面上を刃部３２のＳ２側が移動することになり、少しでも誤差があると刃部３２の全体がワーク４０に当接する。この場合、刃部３２の全体がワーク４０の切削に関与してしまい、切削工具３０にかかる負荷が大きくなってしまうことにより、そこで振動が生じる可能性がある。
【００８６】
これに対し、本実施形態では、切削幅方向において、刃部３２における一端側Ｓ１の端部と、他端側Ｓ２の端部との間で、高さが異なるように傾けられた状態でワーク４０の切削が行われる。従って、切削工具が、溶接ビード４４におけるＤ１方向に沿った一方の端部から他方の端部までの切削を行い、切削幅の分だけ切削幅方向に移動して、次の切削幅の分の切削を行う際にも、切削工具３０の刃部３２が部分的にワーク４０に当接した状態を保ったまま切削を行うことができる。従って、切削工具３０によって切削を行う際に、切削工具３０にかかる負荷を少なく抑えることができる。切削の際の切削工具３０にかかる負荷が少なく抑えられるので、振動が生じることを抑えることができる。
【００８７】
なお、本実施形態では、溶接ビード４４が、概ね母材としての繋梁４２の表面に沿って形成されているので、刃部３２の傾き角αとしては、繋梁４２の延びる方向に対する角度αが用いられている。しかしながら、溶接の行われる対象の母材の形状によっては、切削によって仕上げたい切削後の溶接ビードの形状が、母材に対し傾いて形成される場合が考えられる。切削工具３０の刃部３２が傾いて配置されることの目的は、切削を行う際に刃部３２の全体を用いずに、部分的に刃部３２を用いて切削を行うことである。従って、切削の目標となる切削後の溶接ビード４４の形状が母材に対し傾いている場合には、切削後の溶接ビード４４の表面に対し切削工具３０の刃部３２を傾けて切削が行われることとしてもよい。そのため、切削の目標となる切削後の溶接ビード４４の傾き角に対し、切削工具３０の刃部３２の傾き角αを加えることによって、切削工具３０における刃部３２の傾き角を算出することとしてもよい。このように算出された傾き角となるように切削工具３０における刃部３２を傾けて、溶接ビード４４の切削が行われることとしてもよい。
【００８８】
このように、本実施形態によれば、切削の際に切削工具３０にかかる負荷を低減させることができる。従って、切削の際に切削工具３０で生じる振動を抑えることができる。
【００８９】
従来においては、高強度鋼に形成される溶接ビードを、ロボットを用いて切削する際には、ロボットに取り付けられた切削工具に大きな負荷がかかる。そのため、そこで振動が生じていたので、ロボットを用いた切削を行うことは難しかった。
【００９０】
これに対し、本実施形態では、切削工具３０に作用する負荷を低減させることができるので、高強度鋼に形成された溶接ビード４４に対し切削ロボット１０を用いて切削を行ったとしても、振動が生じることを抑えることができる。従って、ロボットを用いて、高強度鋼に形成された溶接ビード４４に対し切削を行うことが可能になる。
【００９１】
高強度鋼に形成された溶接ビード４４に対しロボットを用いて切削を行うことができるので、切削を精度良く行うことができる。また、切削を高速で行うことができる。そのため、高強度鋼に形成された溶接ビード４４の切削を効率的に行うことができると共に、高強度鋼に形成された溶接ビード４４の切削にかかるコストを少なく抑えることができる。
【００９２】
また、高強度鋼に形成された溶接ビード４４の形状をなめらかにするのに、ガウジングや、グラインダ等を用いて、手作業で溶接ビードの加工を行うことが考えられるが、その際には、長時間かかってしまい、コストが増大してしまう可能性がある。特に、ガウジングには、熟練した技術が必要であり、限られた人しか作業できないこともあり、溶接ビード４４の加工にかかるコストが増大してしまう可能性がある。
【００９３】
本実施形態では、切削ロボット１０を用いて溶接ビードの切削を行うことができるので、高速に溶接ビード４４の切削を行うことができる。従って、短時間で多くのワーク４０に対し溶接ビード４４の切削を行うことができ、溶接ビード４４の切削の効率を向上させることができる。従って、溶接ビード４４の切削にかかるコストを低下させることができる。
【００９４】
また、本実施形態では、鉄道車両用台車枠の製造において、一例として、横梁パイプ４１と、横梁パイプ４１同士の間を繋ぐ繋梁４２との間を溶接によって接続したときに生じる溶接ビード４４の切削に本発明が適用されている。鉄道車両用台車枠は、使用される期間に亘って、繰り返し応力が作用する。また、一般に、製造された鉄道車両用台車枠は、長期間に亘って使用される。このように、鉄道車両用台車枠には、高応力、高疲労に適応できるようにする要求がある。繰り返し応力が長期間作用しても、使用される期間では故障が生じないように、鉄道車両用台車枠は高強度鋼によって形成されることが多い。鉄道車両用台車枠が高強度鋼によって形成されるので、長期間に亘って繰り返し応力が作用したとしても、鉄道車両用台車枠として確実に機能することができる。そのため、本発明は、鉄道車両用台車枠の製造に適したものである。また、鉄道車両においては、使用される過程で、他の部品についても繰り返し応力が作用すると共に、長期間に亘って使用される。そのような部品についても、高強度鋼によって形成されることにより、使用される過程で繰り返し応力が作用したとしても故障の発生が抑えられる。従って、本発明は、鉄道車両の部品の製造に適したものである。
【００９５】
なお、上記実施形態では、本発明は、鉄道車両用台車枠における梁パイプ４１と、横梁パイプ４１同士の間を繋ぐ繋梁４２との間の接続部に適用する形態について説明した。しかしながら、本発明は上記実施形態に限定されない。例えば、橋梁を建造する過程で板材同士を溶接で接続する際に生じた溶接ビードを切削することが行われてもよい。また、切削を行う際に負荷の高い部分に対しロボットアームを用いて切削を行うのであれば、本発明は他の用途に用いられてもよい。
【００９６】
また、上記実施形態では、本発明が溶接の際に生じた溶接ビードの切削に用いられる形態について説明したが、本発明は上記実施形態に限定されない。本発明は、溶接ビード以外の対象についての切削に適用されてもよい。
【００９７】
また、上記実施形態では、ワークが高強度鋼である形態について説明したが、本発明は上記実施形態に限定されない。ワークは、高強度鋼以外のものであってもよい。また、本発明は、切削を行う際に振動を低減させるのであれば、どんな種類のワークに用いられてもよい。そのため、切削の行われるワークは、高強度のものでなくてもよい。
【符号の説明】
【００９８】
１１  ロボットアーム
１９  接続部
３０  切削工具
３１  モータ（回転駆動部）
３２  刃部
４０  ワーク
４４  溶接ビード
５０  制御部
１００  切削装置
Ｓ１  一端側
Ｓ２  他端側
【図１】
2019118990.tif 000003
【図２】
2019118990.tif 000004
【図３】
2019118990.tif 000005
【図４】
2019118990.tif 000006
【図５】
2019118990.tif 000007
【図６】
2019118990.tif 000008
【図７】
2019118990.tif 000009
【図８】
2019118990.tif 000010
【図９】
2019118990.tif 000011